(57)【要約】【課題】構造が簡単で製造し易いレンズシート、かかるレンズシートを備え光学特性に優れた光導波路、光電気混載基板および光モジュール、ならびに前記光電気混載基板を備えた信頼性の高い電子機器を提供すること。【解決手段】マイクロレンズアレイ（本発明のレンズシート）１００は、平面視で四角形をなすフィルム状体であり、複数の球状レンズ１１０と、球状レンズ１１０同士を繋ぐシート状の基部（連結部）１２０と、を備えている。換言すれば、シート状の基部１２０は、複数の貫通孔を備えており、各貫通孔には球状レンズ１１０が収められている。球状レンズ１１０は、その直径が、基部１２０の厚さより大きくなるよう設定されている。そして、球状レンズ１１０の上部は基部１２０の上面から突出するようにはみ出しており、一方、球状レンズ１１０の下部も基部１２０の下面から突出するようにはみ出している。【選択図】図１
2015011072.tif 000002
【特許請求の範囲】
【請求項１】
複数の球状レンズと、前記球状レンズ同士を繋ぐシート状の連結部と、を有することを特徴とするレンズシート。
【請求項２】
複数の貫通孔を備えるシート状の基部と、前記各貫通孔内に少なくとも一部が留まるように、前記各貫通孔内にそれぞれ挿入された球状レンズと、を有する請求項１に記載のレンズシート。
【請求項３】
前記球状レンズと前記基部とが互いに異なる材料で構成されている請求項２に記載のレンズシート。
【請求項４】
前記貫通孔は、一方の開口から他方の開口までの途中でその内径が変化している内径変化部を有している請求項２または３に記載のレンズシート。
【請求項５】
前記基部は、粘着性または接着性を有しており、
前記球状レンズは、前記基部の粘着性または接着性により、前記基部に対して固定されている請求項２ないし４のいずれか１項に記載のレンズシート。
【請求項６】
前記基部は、粘着性または接着性が相対的に高い高粘接着層と、粘着性または接着性が相対的に低い低粘接着層と、を含む積層体で構成されている請求項２ないし５のいずれか１項に記載のレンズシート。
【請求項７】
前記基部は、光の照射により前記粘着性または前記接着性が発現するものである請求項５または６に記載のレンズシート。
【請求項８】
コア部とクラッド部とを備えるコア層と、前記コア層に形成されたミラーと、前記コア層の一方の面側に積層された請求項１ないし７のいずれか１項に記載のレンズシートと、を有し、
前記ミラーを介して、前記コア部と前記球状レンズとが光学的に接続されていることを特徴とする光導波路。
【請求項９】
厚さ方向に貫通する導光路を備える電気回路基板と、
前記球状レンズを介して前記ミラーと前記導光路とが光学的に接続されるよう、前記電気回路基板の一方の面側に設けられた請求項８に記載の光導波路と、
を有することを特徴とする光電気混載基板。
【請求項１０】
厚さ方向に貫通する導光路と、表面に光素子を搭載可能な光素子搭載部と、を備える電気回路基板と、
前記電気回路基板の裏面側に設けられ、コア部とクラッド部とを備える光導波積層体と、
前記導光路を介して前記コア部と前記球状レンズとが光学的に接続されるよう、前記光素子搭載部に対応して設けられた請求項１ないし７のいずれか１項に記載のレンズシートと、
を有することを特徴とする光電気混載基板。
【請求項１１】
前記レンズシートの前記連結部は、粘着性または接着性を有しており、
前記レンズシートは、前記連結部の粘着性または接着性により、前記電気回路基板に対して固定されている請求項９または１０に記載の光電気混載基板。
【請求項１２】
請求項９ないし１１のいずれか１項に記載の光電気混載基板と、前記光電気混載基板に搭載された光素子と、を備えることを特徴とする光モジュール。
【請求項１３】
請求項１２に記載の光モジュールを備えることを特徴とする電子機器。
【発明の詳細な説明】
【技術分野】
【０００１】
本発明は、レンズシート、光導波路、光電気混載基板、光モジュールおよび電子機器に関するものである。
【背景技術】
【０００２】
ＣＣＤ（Charge Coupled Device）のような固体撮像素子は、数百万画素から数千万画素にも及ぶ多数の受光部を備えているが、この画素数は今後さらに増加する可能性が高い。しかしながら、固体撮像素子の大きさには制限があるため、画素数の増加に伴って受光部１個当たりが占める面積は自ずと小さくなる。その結果、固体撮像素子の受光感度がさらに低下したり、ノイズがさらに増加したりすることが懸念されている。
【０００３】
そこで、固体撮像素子上にマイクロレンズ群を装着することにより、実効的な開口率の向上が図られている。これにより、固体撮像素子の感度の向上、Ｓ／Ｎ比の向上等を図ることができる。
【０００４】
マイクロレンズ群は、受光部の位置に合わせて配置された多数のマイクロレンズの集合体であり、一般的にはガラス材料や樹脂材料により構成される。マイクロレンズの大きさは非常に小さく、また配置の位置精度が重要であることから、このようなマイクロレンズ群の製造には、一般に、フォトリソグラフィー法、エッチング法等の精密加工技術が用いられることとなる。
【０００５】
例えば、特許文献１には、レンズ材による下地膜を形成する下地膜形成工程と、下地膜上に複数の円形の凸面で構成されるレジストパターンをフォトリソグラフィー法により形成するレジストパターニング工程と、レジストパターンに熱溶融処理を施すことにより、円形の凸面を球面レンズ状に変形させるリフロー工程と、球面レンズ状に変形させたレジストパターンを下地膜に転写するエッチバック工程と、を有するレンズアレイの製造方法が開示されている。
【０００６】
しかしながら、フォトリソグラフィー法やエッチング法には、いずれも大型で高価な装置や大量の副資材が必要となる。このため、マイクロレンズ群の製造コストの削減を図ることは容易ではない。また、フォトレジストやエッチング液等の副資材と接触することで、材料が劣化したり、汚染されたりするおそれがある。
【先行技術文献】
【特許文献】
【０００７】
【特許文献１】特開２００８−５２００４号公報
【発明の概要】
【発明が解決しようとする課題】
【０００８】
本発明の目的は、構造が簡単で製造し易いレンズシート、かかるレンズシートを備え光学特性に優れた光導波路、光電気混載基板および光モジュール、ならびに前記光電気混載基板を備えた信頼性の高い電子機器を提供することにある。
【課題を解決するための手段】
【０００９】
このような目的は、下記（１）〜（１３）の本発明により達成される。
（１）  複数の球状レンズと、前記球状レンズ同士を繋ぐシート状の連結部と、を有することを特徴とするレンズシート。
【００１０】
（２）  複数の貫通孔を備えるシート状の基部と、前記各貫通孔内に少なくとも一部が留まるように、前記各貫通孔内にそれぞれ挿入された球状レンズと、を有する上記（１）に記載のレンズシート。
【００１１】
（３）  前記球状レンズと前記基部とが互いに異なる材料で構成されている上記（２）に記載のレンズシート。
【００１２】
（４）  前記貫通孔は、一方の開口から他方の開口までの途中でその内径が変化している内径変化部を有している上記（２）または（３）に記載のレンズシート。
【００１３】
（５）  前記基部は、粘着性または接着性を有しており、
前記球状レンズは、前記基部の粘着性または接着性により、前記基部に対して固定されている上記（２）ないし（４）のいずれか１項に記載のレンズシート。
【００１４】
（６）  前記基部は、粘着性または接着性が相対的に高い高粘接着層と、粘着性または接着性が相対的に低い低粘接着層と、を含む積層体で構成されている上記（２）ないし（５）のいずれか１項に記載のレンズシート。
【００１５】
（７）  前記基部は、光の照射により前記粘着性または前記接着性が発現するものである上記（５）または（６）に記載のレンズシート。
【００１６】
（８）  コア部とクラッド部とを備えるコア層と、前記コア層に形成されたミラーと、前記コア層の一方の面側に積層された上記（１）ないし（７）のいずれか１項に記載のレンズシートと、を有し、
前記ミラーを介して、前記コア部と前記球状レンズとが光学的に接続されていることを特徴とする光導波路。
【００１７】
（９）  厚さ方向に貫通する導光路を備える電気回路基板と、
前記球状レンズを介して前記ミラーと前記導光路とが光学的に接続されるよう、前記電気回路基板の一方の面側に設けられた上記（８）に記載の光導波路と、
を有することを特徴とする光電気混載基板。
【００１８】
（１０）  厚さ方向に貫通する導光路と、表面に光素子を搭載可能な光素子搭載部と、を備える電気回路基板と、
前記電気回路基板の裏面側に設けられ、コア部とクラッド部とを備える光導波積層体と、
前記導光路を介して前記コア部と前記球状レンズとが光学的に接続されるよう、前記光素子搭載部に対応して設けられた上記（１）ないし（７）のいずれか１項に記載のレンズシートと、
を有することを特徴とする光電気混載基板。
【００１９】
（１１）  前記レンズシートの前記連結部は、粘着性または接着性を有しており、
前記レンズシートは、前記連結部の粘着性または接着性により、前記電気回路基板に対して固定されている上記（９）または（１０）に記載の光電気混載基板。
【００２０】
（１２）  上記（９）ないし（１１）のいずれか１項に記載の光電気混載基板と、前記光電気混載基板に搭載された光素子と、を備えることを特徴とする光モジュール。
（１３）  上記（１２）に記載の光モジュールを備えることを特徴とする電子機器。
【発明の効果】
【００２１】
本発明によれば、構造が簡単で製造し易いレンズシートが得られる。
また、本発明によれば、上記レンズシートを備え光学特性に優れた光導波路、光電気混載基板および光モジュールが得られる。
【００２２】
また、本発明によれば、上記光電気混載基板を備えた信頼性の高い電子機器が得られる。
【図面の簡単な説明】
【００２３】
【図１】本発明のレンズシートの第１実施形態を適用したマイクロレンズアレイを示す平面図およびこの平面図のＡ−Ａ線断面図である。
【図２】図１（ｂ）に示す断面図の部分拡大図である。
【図３】図２に示すマイクロレンズアレイの他の構成例を示す断面図である。
【図４】本発明のレンズシートの第２実施形態を適用したマイクロレンズアレイを示す平面図である。
【図５】本発明のレンズシートの第３実施形態を適用したマイクロレンズアレイを示す平面図およびこの平面図のＡ−Ａ線断面図である。
【図６】本発明の光導波路の実施形態を示す断面図である。
【図７】図６に示す光導波路が備えるコア層、クラッド層およびミラーを示す斜視図である。
【図８】本発明の光電気混載基板の第１実施形態および本発明の光モジュールの第１実施形態を示す斜視図である。
【図９】図８に示す光モジュールのＣ−Ｃ線断面図およびＤ−Ｄ線断面図である。
【図１０】本発明の光電気混載基板の第２実施形態および本発明の光モジュールの第２実施形態を示す断面図である。
【図１１】本発明のレンズシートを備える光学装置を適用したＣＣＤイメージセンサーの画素周辺の構造を示す断面図である。
【発明を実施するための形態】
【００２４】
以下、本発明のレンズシート、光導波路、光電気混載基板、光モジュールおよび電子機器について添付図面に示す好適実施形態に基づいて詳細に説明する。
【００２５】
＜マイクロレンズアレイ＞
≪第１実施形態≫
まず、本発明のレンズシートの第１実施形態を適用したマイクロレンズアレイ（マイクロレンズ群）について説明する。
【００２６】
図１は、本発明のレンズシートの第１実施形態を適用したマイクロレンズアレイを示す平面図およびこの平面図のＡ−Ａ線断面図であり、図２は、図１（ｂ）に示す断面図の部分拡大図であり、図３は、図２に示すマイクロレンズアレイの他の構成例を示す断面図である。
【００２７】
図１（ａ）に示すマイクロレンズアレイ（本発明のレンズシート）１００は、平面視で四角形をなすシート状体であり、複数の球状レンズ１１０と、球状レンズ１１０同士を繋ぐシート状の基部（連結部）１２０と、を備えている。換言すれば、平面視で四角形をなすシート状の基部１２０は、複数の貫通孔１２１を備えており、各貫通孔１２１には球状レンズ１１０が嵌っている。
【００２８】
球状レンズ１１０は、その直径が、基部１２０の厚さより大きくなるよう設定されている。そして、球状レンズ１１０の上部は基部１２０の上面から突出するようにはみ出しており、一方、球状レンズ１１０の下部も基部１２０の下面から突出するようにはみ出している。
【００２９】
上記のように、各球状レンズ１１０は、基部１２０の上面側および下面側に突出していることから、この突出部位は凸レンズとして機能し、マイクロレンズアレイ１００を透過する光を所定の方向に屈折させることができる。これにより、マイクロレンズアレイ１００は、所定の焦点距離に集光させる等の凸レンズ効果を有するものとなる。
【００３０】
図１に示すマイクロレンズアレイ１００は、上述したように、球状レンズ１１０同士を基部１２０で繋いだ簡単な構造になっている。球状レンズ１１０は、製造が比較的容易であり、球面の精度も高め易いという利点がある。また、球状レンズ１１０が自在に転動するため、取り扱いが容易であり、その結果、このような球状レンズ１１０を備えたマイクロレンズアレイ１００は、製造容易性が高く、製造コストの低コスト化を図り易いという利点を有している。
【００３１】
基部１２０の平均厚さｔ１（図２参照）は、特に限定されないが、０．５〜１０００μｍ程度であるのが好ましく、１〜７００μｍ程度であるのがより好ましく、５〜３００μｍ程度であるのがさらに好ましい。基部１２０の平均厚さｔ１を前記範囲内に設定することにより、マイクロレンズアレイ１００は、一定の剛性を有するものとなり、球状レンズ１１０同士の位置関係を安定的に保持することができる。加えて、球状レンズ１１０の粒径ｄにもよるが、球状レンズ１１０の露出範囲を最適化することができるので、開口数の大きいマイクロレンズアレイ１００が得られる。
【００３２】
また、基部１２０の上面から突出している球状レンズ１１０の突出高さｈ１、および、基部１２０の下面から突出している球状レンズ１１０の突出高さｈ２は、それぞれ０．５〜１５００μｍ程度であるのが好ましく、１〜１０００μｍ程度であるのがより好ましく、３〜５００μｍ程度であるのがさらに好ましい。突出高さを前記範囲内に設定することにより、十分な開口数を有するマイクロレンズアレイ１００が得られる。
【００３３】
なお、この場合、突出高さｈ１と突出高さｈ２は、同程度であるのが好ましい。これにより、マイクロレンズアレイ１００の開口数をより高めることができる。なお、同程度とは、突出高さｈ１が突出高さｈ２の９０〜１１０％の範囲内にあることをいう。
【００３４】
さらに、マイクロレンズアレイ１００の平均厚さ、すなわち、球状レンズ１１０の平均粒径ｄは、特に限定されないが、１〜３０００μｍ程度であるのが好ましく、３〜２０００μｍ程度であるのがより好ましく、１５〜１０００μｍ程度であるのがさらに好ましい。球状レンズ１１０の平均粒径ｄを前記範囲内に設定することにより、十分な屈折力を有し、光学特性に優れたマイクロレンズアレイ１００が得られる。
【００３５】
なお、球状レンズ１１０の平均粒径ｄは、１００個以上の球状レンズ１１０の投影像の円相当径を求め、その円相当径の平均値として求めることができる。
【００３６】
また、球状レンズ１１０の平均粒径ｄに対する球状レンズ１１０の突出高さｈ１および突出高さｈ２の割合は、それぞれ５〜４５％程度であるのが好ましく、１０〜３５％程度であるのがより好ましい。この割合を前記範囲内に収めることで、十分な開口数を有するマイクロレンズアレイ１００が得られる。
【００３７】
以下、マイクロレンズアレイ１００の各部についてさらに詳述する。
（球状レンズ）
球状レンズ１１０は、真球またはそれに準じた形状をなしている。真球に準じた形状とは、例えば、楕円球、長円球のような形状の他、一部の曲面が放物線回転面、双曲線回転面、多次関数曲線回転面等の非球面になっている球体等が挙げられる。
【００３８】
従来のマイクロレンズアレイには、表面側に凸レンズ形状を有している一方、裏面側が平滑面になっているものがある。すなわち、このマイクロレンズアレイの凸レンズは、半球レンズであるといえる。このようなマイクロレンズアレイは、製造が容易であるものの、半球レンズからなる凸レンズの屈折力が十分でないため、凸レンズとしての光学性能に乏しいという問題があった。また、この光学性能を補うため、２枚のマイクロレンズアレイを積層することも検討されているが、光軸の位置合わせの難易度が高いという課題を抱えている。
【００３９】
これに対し、図１に示すマイクロレンズアレイ１００は、球状レンズ１１０を用いていることから、十分な屈折力があり、このため、１枚のマイクロレンズアレイ１００であっても光学性能に富んでいる。したがって、図１に示すマイクロレンズアレイ１００は、構造が簡単で製造が容易であるとともに、光学性能に優れているという利点を有している。
【００４０】
球状レンズ１１０の構成材料は、透光性を有する材料であれば特に限定されないが、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、ベンゾシクロブテン系樹脂やノルボルネン系樹脂等の環状オレフィン系樹脂のような各種樹脂材料の他、石英ガラス、ホウケイ酸ガラスのような各種ガラス材料、サファイア、水晶のような各種結晶材料等が挙げられる。
【００４１】
なお、球状レンズ１１０の表面には、必要に応じて、反射防止膜、多層膜コーティング等の各種コーティングを施すようにしてもよい。
【００４２】
また、球状レンズ１１０の表面には、必要に応じて、微小な凹凸を形成するようにしてもよい。この際、凹凸のピッチや深さ（高さ）を、球状レンズ１１０に入射する光の波長以下にすることで、凹凸が形成された領域の屈折率を、空気の屈折率と球状レンズ１１０の構成材料の屈折率との中間の値としてみなすことができるようになるので、球状レンズ１１０に入射する光の反射が抑制され、光の入射効率を高めることができる。
【００４３】
また、マイクロレンズアレイ１００における球状レンズ１１０同士の最小離間距離は、球状レンズ１１０の粒径ｄに応じて適宜設定され、特に限定されないが、好ましくは５０〜５０００μｍ程度であるのが好ましく、７５〜３０００μｍ程度であるのがより好ましい。
【００４４】
また、マイクロレンズアレイ１００における球状レンズ１１０の数も、特に限定されない。
【００４５】
また、図１に示すマイクロレンズアレイ１００では、球状レンズ１１０が、Ｘ方向に平行な行とＹ方向に平行な列とで構成された行列状に配置されているが、本発明では、この球状レンズ１１０の配置パターンを特に限定するものではなく、いかなるパターンであってもよい。
【００４６】
なお、球状レンズ１１０の屈折率は、基部１２０の屈折率より高いことが好ましい。これにより、球状レンズ１１０の屈折力がより高くなる。
【００４７】
（基部）
図２に示す基部１２０は、複数の貫通孔１２１を備えたシート状体であり、その外縁は平面視で四角形をなしている。球状レンズ１１０は、この貫通孔１２１に収まることにより、基部１２０に対して固定されている。
【００４８】
基部１２０の構成材料は、特に限定されないが、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００４９】
また、基部１２０は、透光性を有していてもよいが、不透光性を有していてもよい。基部１２０が透光性を有している場合、球状レンズ１１０と基部１２０とが重なり合った部分においても、球状レンズ１１０の透光性が損なわれないため、球状レンズ１１０の光学特性を十分に発揮させることができる。一方、基部１２０が不透光性を有している場合、基部１２０で遮光されるため、例えば隣り合う球状レンズ１１０同士の間で互いに透過光が干渉し難くなり、いわゆるクロストークの発生が抑制される。
【００５０】
貫通孔１２１の縦断面形状は、球状レンズ１１０を挿入可能な形状であれば特に限定されないが、好ましくは、貫通孔１２１の一方の開口から他方の開口までの途中でその内径が変化している内径変化部を備えている形状とされる。図２の場合、貫通孔１２１は、その内径が貫通孔１２１の上端の開口から下端の開口に向かって徐々に小さくなるテーパー部１２２を有しており、下端の開口における貫通孔１２１の内径は、球状レンズ１１０の粒径よりも小さくなっている。このようなテーパー部１２２を設けることにより、球状レンズ１１０がテーパー部１２２に引っ掛かるため、それによって球状レンズ１１０を貫通孔１２１内に容易に留めることができる。また、上端の開口における貫通孔１２１の内径は、球状レンズ１１０の粒径よりも大きくなるので、貫通孔１２１に対して球状レンズ１１０を挿入し易い。このため、マイクロレンズアレイ１００の製造容易性が高いという利点がある。
【００５１】
また、上記のような構造であれば、球状レンズ１１０は、貫通孔１２１の内壁の一部によって支持される。この支持部は、自ずと環状になるため、球状レンズ１１０は安定的にかつ均一な力で支持されることとなる。このため、支持に伴う球状レンズ１１０の意図しない変形や位置ずれ等の不具合を抑制することができる。
【００５２】
さらに、支持部の面積は自ずと小さくなるため、構造的には、球状レンズ１１０と基部１２０とが分離された状態に近くなる。このため、例えば熱影響によって基部１２０が膨張したり、あるいは、外力によって基部１２０内に応力が発生した場合でも、その影響が球状レンズ１１０に及び難いといった利点が得られる。
【００５３】
なお、図２に示すテーパー部１２２では、上端から下端に向かって一定の変化率で内径が小さくなっているが、このような変化のパターンは、特に限定されるものではなく、変化の途中で球状レンズ１１０の直径ｄより内径が小さくなっている部位を含むパターンであればいかなるものでもよい。例えば、下端に向かって内径の縮小率が徐々に大きくなるよう設定することで、テーパー部１２２は、球状レンズ１１０の表面に沿った形状に近くなるので、支持部の面積が広くなり、支持における安定性をより高めることができる。
【００５４】
また、貫通孔１２１の上端の開口の形状は特に限定されず、円形状、四角形、六角形、星型等の多角形状でもあってもよいが、上述したような理由から円形状であるのが好ましい。
【００５５】
また、前述したように、球状レンズ１１０は転動し易いことから、その性質を利用することで、貫通孔１２１内に球状レンズ１１０を挿入する作業の効率を高め易い。このため、図１に示すマイクロレンズアレイ１００は、その組み立て容易性という観点からも有用である。
【００５６】
また、球状レンズ１１０と基部１２０は、その構成材料が互いに異なることが好ましい。これにより、球状レンズ１１０および基部１２０は、その構成材料の選択にあたって、各部位に求められる特性を優先した選択が可能になるので、光学性能や機械的特性といった観点の最適化が図られたマイクロレンズアレイ１００を実現することができる。その例としては、例えば、球状レンズ１１０の構成材料には、透光性や屈折率が高い材料を選択し、一方、基部１２０の構成材料には、機械的強度が高い材料を選択するといった例が挙げられる。
【００５７】
なお、図２に示す貫通孔１２１の下端の開口の直径は、球状レンズ１１０の粒径ｄの５〜９５％程度であるのが好ましく、１０〜９０％程度であるのがより好ましい。開口の直径をこの程度に設定することで、球状レンズ１１０をより確実に固定することができる。
【００５８】
また、特に限定されるものでもないが、貫通孔１２１の下端の直径を決める際には、前記基部１２０の線膨張係数と前記球状レンズの線膨張係数とから求められる両者の収縮差の寸法を算出し、これに基づいて球状レンズ１１０が基部１２０から脱落することがないように設計されるのが好ましい。
【００５９】
ここで、図２に示すマイクロレンズアレイ１００では、貫通孔１２１と球状レンズ１１０との間に空隙が残っているが、必要に応じて、図３（ａ）に示すように、この空隙を埋める充填部１２３を設けるようにしてもよい。これにより、球状レンズ１１０をより安定的に固定することができる。
充填部１２３としては、例えば、各種アンダーフィル材等を用いることができる。
【００６０】
また、基部１２０は、図３（ａ）に示すような単層構造であってもよいが、図３（ｂ）〜（ｄ）に示すような多層構造であってもよい。
【００６１】
図３（ｂ）に示すマイクロレンズアレイ１００は、低粘接着層１２０ａと、低粘接着層１２０ａの上に積層された高粘接着層１２０ｂと、で構成された多層構造の基部１２０を備えている。
【００６２】
このうち、低粘接着層１２０ａは、前述した基部１２０と同様の材料で構成された層であり、相対的に粘着性または接着性が低い。
【００６３】
一方、高粘接着層１２０ｂは、低粘接着層１２０ａに比べて相対的に粘着性または接着性が高い。このため、高粘接着層１２０ｂが有する粘着性または接着性によって、球状レンズ１１０が固定されることとなる。
【００６４】
高粘接着層１２０ｂの構成材料としては、例えば、（メタ）アクリル酸およびそれらのエステルで構成される樹脂、（メタ）アクリル酸およびそれらのエステルとそれらと共重合可能な不飽和単量体（例えば酢酸ビニル、スチレン、アクリルニトリル等）との共重合体のようなアクリル系粘着剤、ゴム系粘着剤といった各種粘着剤、アクリル系接着剤、ウレタン系接着剤、エポキシ系接着剤、シリコーン系接着剤、フェノキシ系接着剤、ポリアミド系接着剤、熱可塑性ポリイミド系接着剤、各種ホットメルト接着剤（ポリエステル系、変性オレフィン系等）といった各種接着剤等が挙げられる。
【００６５】
なお、図３（ｂ）では、図示の都合上、高粘接着層１２０ｂが球状レンズ１１０に接していないが、通常、粘着剤や接着剤（以下、「粘接着剤」ともいう。）は、粘着性または接着性（以下、「粘接着性」ともいう。）を発現する際、または、高粘接着層１２０ｂを形成する際に、一部溶融または軟化し、さらに流動を伴うので、貫通孔１２１内に流れ込んだ粘接着剤によって球状レンズ１１０が固定されているものと考えられる。
【００６６】
また、貫通孔１２１に挿入された球状レンズ１１０は、その際に、貫通孔１２１をわずかに押し広げるようにして留まるため、それによって球状レンズ１１０と高粘接着層１２０ｂとが接触し、固定されることも考えられる。
【００６７】
高粘接着層１２０ｂの平均厚さｔ２（図３（ｂ）参照）は、基部１２０の平均厚さｔ１の１０〜９０％程度であるのが好ましく、２０〜８０％程度であるのがより好ましい。これにより、低粘接着層１２０ａによる作用と高粘接着層１２０ｂによる作用とを両立させ、基部１２０における十分な機械的特性と球状レンズ１１０の安定的な固定とを両立させることができる。
【００６８】
なお、この高粘接着層１２０ｂが有する粘接着性は、マイクロレンズアレイ１００を他の部材に貼り付ける際にも利用することができる。したがって、図３（ｂ）に示すマイクロレンズアレイ１００は、他の部位に対して容易に貼り合わせることが可能であり、実装性が容易なものである。
【００６９】
また、高粘接着層１２０ｂの構成材料が、粘接着性とともに十分な機械的特性を有している場合には、図３（ａ）に示す基部１２０全体の構成材料として上述したような各種粘接着剤を用いるようにしてもよい。
【００７０】
一方、図３（ｃ）に示すマイクロレンズアレイ１００の基部１２０は、低粘接着層１２０ａと高粘接着層１２０ｂの位置が入れ替わっている以外、図３（ｂ）に示すマイクロレンズアレイ１００と同様である。図３（ｃ）に示すマイクロレンズアレイ１００では、貫通孔１２１の内壁のうち、球状レンズ１１０に当接する部位が粘接着剤で構成されているので、球状レンズ１１０をより安定的に、かつ、より高い位置精度で固定することができ、有用である。
【００７１】
また、図３（ｄ）に示すマイクロレンズアレイ１００の基部１２０は、低粘接着層１２０ａを挟んで上方に高粘接着層１２０ｂが、下方に高粘接着層１２０ｃがそれぞれ積層されている以外、図３（ｂ）に示すマイクロレンズアレイ１００と同様である。高粘接着層１２０ｃは、高粘接着層１２０ｂと同様のものである。
【００７２】
このようなマイクロレンズアレイ１００では、球状レンズ１１０を高粘接着層１２０ｂと高粘接着層１２０ｃの２層で固定することができるので、球状レンズ１１０をより安定的に固定することができ、かつ、基部１２０の両面が粘接着性を有しているため他の部材に対してより高い自由度で貼り付けることが可能なものとなる。
【００７３】
≪第２実施形態≫
次に、本発明のレンズシートの第２実施形態を適用したマイクロレンズアレイについて説明する。
【００７４】
図４は、本発明のレンズシートの第２実施形態を適用したマイクロレンズアレイを示す平面図である。
【００７５】
以下、第２実施形態について説明するが、以下の説明では、主に第１実施形態との相違点について説明し、同様の事項についてはその説明を省略する。
【００７６】
第２実施形態は、球状レンズ１１０の配置パターンが異なる以外、第１実施形態と同様である。
【００７７】
図４に示すマイクロレンズアレイ１００では、球状レンズ１１０が、Ｘ方向に対して斜めに傾いた行ＬとＹ方向に平行な列とで構成された行列状に配置されている。このとき、行Ｌの延伸方向とＸ方向とがなす角度θは、特に限定されないものの、１０〜７０°程度であるのが好ましい。
【００７８】
なお、球状レンズ１１０の配置パターンは、図１や図４のような規則的なパターンに限定されず、不規則なパターンであってもよい。
このような第２実施形態も、第１実施形態と同様の作用、効果を奏する。
【００７９】
≪第３実施形態≫
次に、本発明のレンズシートの第３実施形態を適用したマイクロレンズアレイについて説明する。
【００８０】
図５は、本発明のレンズシートの第３実施形態を適用したマイクロレンズアレイを示す平面図およびこの平面図のＡ−Ａ線断面図である。
【００８１】
以下、第３実施形態について説明するが、以下の説明では、主に第１実施形態との相違点について説明し、同様の事項についてはその説明を省略する。
【００８２】
第３実施形態は、平面視で四角形をなすマイクロレンズアレイ１００の外縁部において、基部１２０の厚さが部分的に厚くなっている以外、第１実施形態と同様である。
【００８３】
図５に示すマイクロレンズアレイ１００は、その外縁部に設けられた、基部１２０よりも厚さが厚い額縁部１２５を有している。このような額縁部１２５を設けることにより、マイクロレンズアレイ１００の曲げ剛性や捻り剛性をより高めることができる。
【００８４】
また、額縁部１２５の厚さを基部１２０よりも厚くすることにより、例えば図５に示すマイクロレンズアレイ１００を他の部材に貼り付けたとき、球状レンズ１１０と他の部材との間には、自ずとスペースが確保される。これにより、球状レンズ１１０と他の部材との干渉が抑制されるため、マイクロレンズアレイ１００の実装性が高まるとともに、球状レンズ１１０の光学特性をより高めることができる。
このような第３実施形態も、第１実施形態と同様の作用、効果を奏する。
【００８５】
＜マイクロレンズアレイの製造方法＞
次に、本発明のレンズシートを製造する方法について説明する。なお、以下の説明では、一例として、本発明のレンズシートの第１実施形態（図１に示すマイクロレンズアレイ１００）を製造する方法について説明する。
【００８６】
図１に示すマイクロレンズアレイ１００を製造する方法は、［１］基部形成用フィルムに貫通孔１２１を形成し、基部１２０を製造する工程と、［２］貫通孔１２１に球状レンズ１１０を挿入する工程と、を有する。以下、各工程について説明する。
【００８７】
［１］まず、基部形成用フィルムを用意する。この基部形成用フィルムは、基部１２０と同じ材料で構成されたフィルムである。
【００８８】
次いで、基部形成用フィルムに貫通孔１２１を形成する。貫通孔１２１の形成には、例えば成形型転写法、レーザー加工法、電子線加工法、機械加工法等の各種加工方法が用いられる。このうち、成形型転写法（インプリント法）によれば、寸法や形状のバラツキが少ない貫通孔１２１を正確にかつ効率よく形成することができるので好ましい。
このようにして基部１２０が得られる。
【００８９】
なお、基部１２０として、例えば低粘接着層１２０ａと高粘接着層１２０ｂとの積層体を用いる場合、高粘接着層１２０ｂの構成材料として光の照射により粘接着性を発現するものを用いるのが好ましい。これにより、粘接着性を発現させない状態で貫通孔１２１を形成した後、その後に光を照射して粘接着性を発現させることができる。その結果、例えば成形型に高粘接着層１２０ｂが付着して、形状転写に不具合が生じるのを防止することができる。
【００９０】
光の照射により粘接着性を発現する材料としては、例えば、前述したような粘着剤および接着剤に光硬化開始剤等を添加したものが挙げられ、具体的には感光性接着剤等が用いられる。
【００９１】
［２］次いで、貫通孔１２１に球状レンズ１１０を挿入する。これにより、マイクロレンズアレイ１００が得られる。
【００９２】
この際、球状レンズ１１０は、転動し易いことから、基部１２０の上面に対して多数の球状レンズ１１０を流すようにすれば、一定の確率で貫通孔１２１に球状レンズ１１０が入り込む。よって、これを利用することにより、複雑な製造装置等を用いることなく、マイクロレンズアレイ１００を製造することができる。なお、球状レンズ１１０が入り込む確率を高めるため、例えば基部１２０に振動を加えたり、前後左右に揺動させたりするようにしてもよい。
【００９３】
また、基部１２０が光の照射により粘接着性を発現するものであれば、粘接着性を発現させない状態で貫通孔１２１内に球状レンズ１１０を挿入した後、その後に粘接着性を発現させるようにするのが好ましい。これにより、球状レンズ１１０を貫通孔１２１内に挿入する際、粘接着性の影響を受けないで済むので、球状レンズ１１０が意図しない箇所に付着するのを防止して、挿入作業の効率を高めることができる。
【００９４】
なお、基部１２０として、例えば低粘接着層１２０ａと高粘接着層１２０ｂとの積層体を用いる場合、まず、低粘接着層１２０ａに貫通孔を形成し、そこに球状レンズ１１０を挿入した後、高粘接着層１２０ｂ形成用の材料を流し込んで高粘接着層１２０ｂを形成するようにしてもよい。この方法によれば、球状レンズ１１０と高粘接着層１２０ｂとを確実に接触させることができるので、球状レンズ１１０を安定的に固定することができる。
【００９５】
＜光導波路＞
次に、本発明の光導波路の実施形態について説明する。
【００９６】
図６は、本発明の光導波路の実施形態を示す断面図、図７は、図６に示す光導波路が備えるコア層、クラッド層およびミラーを示す斜視図である。なお、図７では、コア層およびクラッド層について、図６に示すものを上下反転させて図示している。
【００９７】
図６に示す光導波路（本発明の光導波路）１は、下側からクラッド層１２、コア層１３およびクラッド層１１を順次積層してなる積層体（光導波積層体）１０を備えている。コア層１３中には、図７に示すように、長尺状のコア部１４とその側面に隣接して設けられた側面クラッド部１５とが形成されている。なお、図７では、クラッド層１２から透けて見えるコア層１３中のコア部１４や側面クラッド部１５についても点線等で図示している。
【００９８】
コア部１４の幅および高さ（コア層１３の厚さ）は、特に限定されないが、１〜２００μｍ程度であるのが好ましく、５〜１００μｍ程度であるのがより好ましい。これにより、コア部１４の伝送効率を高めつつコア部１４の高密度化を図ることができる。また、コア層１３に形成されるコア部１４の数は、特に限定されないが、例えば１〜１００本とされる。
【００９９】
光導波路１には、その一部を除去することによって形成された凹部１７０が設けられている。図７に示す凹部１７０は、コア部１４の長手方向の途中に位置している。なお、凹部１７０の形成位置は、この位置に限定されず、コア部１４の延長線上であってもよい。凹部１７０の内側面の一部は、コア部１４の光軸に対して傾斜する傾斜面１７１になっている。この傾斜面１７１は、コア部１４の光路を変換するミラー（光路変換部）として機能する。すなわち、傾斜面１７１からなるミラーは、例えばコア部１４内において図６の左側から右側に向かって伝搬する光を、図６の上方に向けて反射することにより、伝搬方向を変換する。なお、この光路の一例を図６に矢印Ｔで示している。
【０１００】
また、図６に示す傾斜面１７１は、図６、７に示すように、クラッド層１２からコア層１３を経てクラッド層１１に至るまでの間に連続して形成された平坦面である。また、凹部１７０の内側面のうち、傾斜面１７１に対向する位置には、別の傾斜面１７２が設けられている。この傾斜面１７２も、傾斜面１７１と同様、クラッド層１２からコア層１３を経てクラッド層１１に至るまでの間に連続して形成された平坦面である。
【０１０１】
一方、凹部１７０の内側面のうち、コア部１４の光軸とほぼ平行な２つの面は、それぞれ図７に示すクラッド層１２の上面に対してほぼ垂直な直立面１７３、１７４である。
【０１０２】
このような２つの傾斜面１７１、１７２と２つの直立面１７３、１７４とにより、凹部１７０の内側面が構成されている。なお、傾斜面１７２はクラッド層１２の上面に対してほぼ垂直な直立面であってもよい。
【０１０３】
なお、凹部１７０の最大深さは、積層体１０の厚さから適宜設定されるものであり、特に限定されないが、光導波路１の機械的強度や可撓性といった観点から、好ましくは１〜５００μｍ程度とされ、より好ましくは５〜４００μｍ程度とされる。
【０１０４】
また、凹部１７０の最大長さ、すなわち図６における凹部１７０の上下方向の最大長さは、特に限定されないが、クラッド層１１、１２やコア層１３の厚さや傾斜面１７１の傾斜角度との関係から、好ましくは２〜１２００μｍ程度とされ、より好ましくは１０〜１０００μｍ程度とされる。
【０１０５】
さらに、凹部１７０の最大幅、すなわち図６における凹部１７０の紙面厚さ方向の最大長さは、特に限定されず、コア部１４の幅等に応じて適宜設定されるが、好ましくは１〜６００μｍ程度とされ、より好ましくは５〜５００μｍ程度とされる。
【０１０６】
なお、凹部１７０は、１本のコア部１４に対して１つ設けられていてもよいが、複数本のコア部１４に対してこれらに跨るように１つの凹部１７０が設けられていてもよい。
【０１０７】
図６に示す光導波路１は、積層体１０の上方に接着層９０を介して設けられたマイクロレンズアレイ１００を備えている。接着層９０は、平面視で枠状をなしており、マイクロレンズアレイ１００の外縁部を積層体１０の上面に対して接着している。これにより、マイクロレンズアレイ１００の下面と積層体１０の上面との間には、空隙が生じるため、球状レンズ１１０の屈折力を高めることができる。すなわち、接着層９０は、基部１２０を積層体１０の上面から離間させた状態を維持するためのスペーサーとして機能する。したがって、接着層９０の平均厚さは、図２における突出高さｈ２以上であるのが好ましい。なお、接着層９０は、必要に応じて、マイクロレンズアレイ１００の下面全体を覆うように設けられていてもよい。
【０１０８】
また、接着層９０に代えて、または図６に示す構成に追加して、所定の厚さを有するスペーサーを設けるようにしてもよい。
【０１０９】
図６の矢印Ｔで示す光は、マイクロレンズアレイ１００の球状レンズ１１０を透過して上方に伝搬する。したがって、マイクロレンズアレイ１００は、傾斜面１７１を介してコア部１４と光学的に接続されるよう配置される。
【０１１０】
このような光導波路１では、傾斜面１７１を介してコア部１４と他の光学部品とを光学的に接続する際、その光路の途中にマイクロレンズアレイ１００を介挿させることができる。このため、マイクロレンズアレイ１００によって光を収束させることができ、コア部１４と他の光学部品との間の光結合効率を高めることができる。加えて、マイクロレンズアレイ１００は、球状レンズ１１０の位置精度が高く、かつ光学性能に優れているため、その観点からも光結合効率の向上に寄与する。
【０１１１】
＜光電気混載基板および光モジュール＞
≪第１実施形態≫
次に、本発明の光電気混載基板の実施形態および本発明の光モジュールの第１実施形態について説明する。
【０１１２】
図８は、本発明の光電気混載基板の第１実施形態および本発明の光モジュールの第１実施形態を示す斜視図であり、図９は、図８に示す光モジュールのＣ−Ｃ線断面図およびＤ−Ｄ線断面図である。なお、図８では、電気回路基板の陰にある光導波路やそれに形成されているコア部等を破線で図示している。
【０１１３】
図８に示す光電気混載基板１０００は、積層体１０と傾斜面１７１とマイクロレンズアレイ１００とを備える光導波路（本発明の光導波路）１と、光導波路１上に積層され、光素子を搭載し得る２つの光素子搭載部２２を備えた電気回路基板２と、を有している。
【０１１４】
また、図８に示す光モジュール２０００は、この光電気混載基板１０００と、光素子搭載部２２に搭載された発光素子３１および受光素子３２と、発光素子３１の駆動を制御する電気素子４１と、受光素子３２で検出された信号を増幅等する電気素子４２と、図示しない光ファイバーを光導波路１に対して接続可能に連結し得る光コネクター４５と、を有している。
【０１１５】
このような光モジュール２０００では、マイクロレンズアレイ１００を介して発光素子３１および受光素子３２とコア部１４とが光学的に接続されている。このため、発散光が球状レンズ１１０によって収束されることにより、光結合効率が向上し、高品質な光通信を行うことができる。特に、マイクロレンズアレイ１００は、球状レンズ１１０の位置精度が高く、かつ光学性能に優れているため、その観点からも光通信の品質向上が図られる。
【０１１６】
また、図８に示す光電気混載基板１０００によれば、このような光モジュール２０００を容易に製造することができる。
【０１１７】
図８に示す積層体１０には、４本のコア部１４が形成されている。このうち、２本のコア部１４の一端は一方の光素子搭載部２２に、残る２本のコア部１４の一端は他方の光素子搭載部２２に、それぞれ延伸しており、かつ一端には傾斜面１７１が形成されている。これにより、光素子搭載部２２に搭載された発光素子３１および受光素子３２とコア部１４とが傾斜面１７１を介して光学的に接続されることとなる。
【０１１８】
一方、４本のコア部１４の他端にも傾斜面１７１が形成されており、この傾斜面１７１を介して４本のコア部１４と光コネクター４５とが光学的に接続されている。
【０１１９】
このような積層体１０は、接着層９１を介して電気回路基板２の下面に接着されている。また、マイクロレンズアレイ１００は、基部１２０の上面が接着層９２を介して電気回路基板２の下面に接着されている。なお、各接着層９０、９１、９２は、必要に応じて設けられればよく、いずれかが省略されてもよい。
【０１２０】
また、マイクロレンズアレイ１００として、前述したような粘接着性を有するものを用いた場合、この粘接着性を利用してマイクロレンズアレイ１００を電気回路基板２の下面や積層体１０の上面に固定するようにしてもよい。これにより、上述した接着層９０や接着層９２を新たに用意する必要がないので、組み立て工程が容易になる。
【０１２１】
また、電気回路基板２は、絶縁性基板２１と、その表面に発光素子３１や受光素子３２を搭載可能な光素子搭載部２２と、絶縁性基板２１の表面または内部に敷設された電気配線２３と、絶縁性基板２１の表面において電気配線２３を覆うよう設けられたソルダーレジスト層２４と、を有している。
【０１２２】
絶縁性基板２１としては、例えば、樹脂基板、セラミックス基板、複合基板等が用いられる。
【０１２３】
また、光素子搭載部２２は、図示しない複数のランド部を備えており、このランド部に対して各素子の端子を接続することで、発光素子３１や受光素子３２が搭載される。このランド部は、電気配線２３を介して電気素子４１や電気素子４２と電気的に接続されている。
【０１２４】
さらに、電気回路基板２は、それ自体を貫通する貫通孔２５を備えている。この貫通孔２５は、電気回路基板２の表面側と裏面側とを光学的に連結するための導光路として機能する。図９（ｂ）に示すコア部１４を左側から右側に伝搬してきた光は、矢印Ｔで示すように傾斜面１７１で上方に反射される。そして、反射光は、マイクロレンズアレイ１００で収束され、貫通孔２５を介して受光素子３２に到達する。このようにしてコア部１４と受光素子３２とが光学的に接続される。
【０１２５】
なお、発光素子３１としては、例えば、面発光レーザー（ＶＣＳＥＬ）、発光ダイオード（ＬＥＤ）、有機ＥＬ素子等の発光素子が挙げられる。
【０１２６】
また、受光素子３２としては、例えば、フォトダイオード（ＰＤ、ＡＰＤ）等の受光素子が挙げられる。
【０１２７】
一方、電気素子４１としては、例えば、ドライバーＩＣ等が挙げられ、電気素子４２としては、例えば、トランスインピーダンスアンプ（ＴＩＡ）、リミッティングアンプ（ＬＡ）、またはこれらの素子を複合したコンビネーションＩＣ等が挙げられる。なお、電気素子４１および電気素子４２は、必要に応じて設けられればよく、省略することもできる。この場合、電気回路基板２に接続される外部基板にこれらの電気素子を搭載するようにしてもよい。また、電気素子としては、これらのもの以外に、例えばＣＰＵ（中央演算処理装置）、ＭＰＵ（マイクロプロセッサーユニット）、ＬＳＩ、ＩＣ、ＲＡＭ、ＲＯＭ、コンデンサー、コイル、抵抗、ダイオード等の各種素子が挙げられる。
【０１２８】
光コネクター４５の構造は、特に限定されず、例えば各種コネクター規格に準拠したものも用いられる。具体的には、ＰＭＴコネクター、ＪＩＳ  Ｃ  ５９８１に規定されたＭＴコネクター、１６ＭＴコネクター、２次元配列型ＭＴコネクター、ＭＰＯコネクター、ＭＰＸコネクター等の規格に準じたもの（レセプター）が挙げられる。
【０１２９】
≪第２実施形態≫
次に、本発明の光電気混載基板の第２実施形態および本発明の光モジュールの第２実施形態について説明する。
【０１３０】
図１０は、本発明の光電気混載基板の第２実施形態および本発明の光モジュールの第２実施形態を示す断面図である。
【０１３１】
以下、第２実施形態について説明するが、以下の説明では、第１実施形態との相違点を中心に説明し、同様に事項についてはその説明を省略する。
【０１３２】
本実施形態に係る光モジュール２０００は、マイクロレンズアレイ１００の配置が異なる以外、第１実施形態と同様である。
【０１３３】
図１０に示す光モジュール２０００では、光素子搭載部２２にマイクロレンズアレイ１００が設けられている。これにより、貫通孔２５を介してコア部１４と球状レンズ１１０とが光学的に接続されることとなる。換言すれば、貫通孔２５および球状レンズ１１０を介して、コア部１４と発光素子３１および受光素子３２とが光学的に接続されることとなる。
【０１３４】
一方、積層体（光導波積層体）１０は、接着層９４を介して電気回路基板２の下面に接着されている。
このような第２実施形態においても、第１実施形態と同様の作用、効果が得られる。
【０１３５】
発光素子３１および受光素子３２とコア部１４とがさらに高い効率で光学的に接続されるために、光モジュール２０００は、使用する電気回路基板２の形状等によっては、第１実施形態と第２実施形態とを組み合わせた形態、すなわち、電気回路基板２の上面側と下面側の双方にマイクロレンズアレイ１００を設けた形態であってもよい。
【０１３６】
＜電子機器＞
上述したような本発明の光モジュールは、前述したように、内部の光路における光結合効率が高いため、高品質な光通信が可能なものとなる。したがって、本発明の光モジュールを備えることにより、信頼性の高い電子機器が得られる。
【０１３７】
本発明の光モジュールを備える電子機器としては、例えば、携帯電話、ゲーム機、ルーター装置、ＷＤＭ装置、パソコン、テレビ、ホーム・サーバー等の電子機器類が挙げられる。これらの電子機器では、いずれも、例えばＬＳＩ等の演算装置とＲＡＭ等の記憶装置との間で、大容量のデータを高速に伝送する必要がある。したがって、このような電子機器が本発明の光モジュールを備えることにより、電気配線に特有なノイズ、信号劣化等の不具合が解消され、その性能の飛躍的な向上が期待できる。
【０１３８】
さらに、光導波路部分では、電気配線に比べて発熱量が大幅に削減される。このため、冷却に要する電力を削減することができ、電子機器全体の消費電力を削減することができる。
【０１３９】
＜光学装置＞
上述したような本発明のレンズシートは、例えば光学装置に搭載することによって、光学性能に優れた信頼性の高い光学装置を得ることができる。
【０１４０】
本発明のレンズシートを備える光学装置としては、例えば、ＣＣＤイメージセンサー、ＣＭＯＳ（Complementary Metal Oxide Semiconductor）イメージセンサーのような各種撮像素子、液晶表示素子、有機ＥＬ素子、液晶プロジェクターのような各種表示装置、光ファイバー接続用フェルール、光導波路接続用フェルールのような各種光通信用装置、分光分析装置のような各種光学分析装置等が挙げられる。
【０１４１】
図１１は、本発明のレンズシートを備える光学装置を適用したＣＣＤイメージセンサーの画素周辺の構造を示す断面図である。なお、以下の説明では、説明の便宜上、図１１中の上方を「上」、下方を「下」という。
【０１４２】
図１１に示すＣＣＤイメージセンサー５は、フォトダイオード５１１等の受光部が形成された半導体基板５１と、半導体基板５１上に積層され、受光に伴う電気信号を読み出す読み出し部等の回路（図示せず）が形成された回路部５２と、回路部５２上に積層されたカラーフィルター５３と、カラーフィルター５３上に積層されたマイクロレンズアレイ１００と、を備えている。カラーフィルター５３とマイクロレンズアレイ１００との間は、接着層９５を介して接着されている。このようなＣＣＤイメージセンサー５では、マイクロレンズアレイ１００において画素間に漏れ出す迷光の発生を抑制することができるので、例えばスミア等のノイズが発生するのを抑制することができる。
【０１４３】
以上、本発明のレンズシート、光導波路、光電気混載基板、光モジュールおよび電子機器を、図示の実施形態に基づいて説明したが、本発明はこれらに限定されるものではない。
【０１４４】
例えば、前記各実施形態に係る光モジュールにおいては、光コネクターが省略されてもよい。その場合、光コネクターを介することなく、光モジュールの光導波路と他の光導波路とを接続するようにすればよい。
【０１４５】
また、例えば、図８〜１０に示すマイクロレンズアレイ１００は、発光素子３１側と受光素子３２側の双方と光結合されているが、２枚のマイクロレンズアレイ１００を用いることにより、発光素子３１側と受光素子３２側に個別のマイクロレンズアレイ１００を配置するようにしてもよい。
【０１４６】
また、光導波路における傾斜面１７１の形成位置は、コア部１４の途中に限定されず、途中で途切れたコア部１４の延長線上の側面クラッド部１５内であってもよい。
【０１４７】
また、電気回路基板２を貫通する貫通孔２５に代えて、電気回路基板２を貫通するよう配設された光ファイバーや光導波路といった導光路を設けるようにしてもよい。
【符号の説明】
【０１４８】
１              光導波路
１０            積層体
１１            クラッド層
１２            クラッド層
１３            コア層
１４            コア部
１５            側面クラッド部
１７０          凹部
１７１          傾斜面
１７２          傾斜面
１７３          直立面
１７４          直立面
１００          マイクロレンズアレイ
１１０          球状レンズ
１２０          基部
１２０ａ        低粘接着層
１２０ｂ        高粘接着層
１２０ｃ        高粘接着層
１２１          貫通孔
１２２          テーパー部
１２３          充填部
１２５          額縁部
１０００        光電気混載基板
２０００        光モジュール
２              電気回路基板
２１            絶縁性基板
２２            光素子搭載部
２３            電気配線
２４            ソルダーレジスト層
２５            貫通孔
３１            発光素子
３２            受光素子
４１            電気素子
４２            電気素子
４５            光コネクター
５              ＣＣＤイメージセンサー
５１            半導体基板
５１１          フォトダイオード
５２            回路部
５３            カラーフィルター
９０            接着層
９１            接着層
９２            接着層
９４            接着層
９５            接着層
Ｌ              行
Ｔ              矢印
ｄ              粒径
ｈ１            突出高さ
ｈ２            突出高さ
ｔ１            厚さ
ｔ２            厚さ
θ              角度
【図１】
2015011072.tif 000003
【図２】
2015011072.tif 000004
【図３】
2015011072.tif 000005
【図４】
2015011072.tif 000006
【図５】
2015011072.tif 000007
【図６】
2015011072.tif 000008
【図７】
2015011072.tif 000009
【図８】
2015011072.tif 000010
【図９】
2015011072.tif 000011
【図１０】
2015011072.tif 000012
【図１１】
2015011072.tif 000013